(57)【特許請求の範囲】
【請求項１】
大径筒部と小径筒部とが連結された形の燃焼筒の前記小径筒部の基端側に旋回羽根部を備えた保炎器を配置し、噴霧ノズルから噴出される燃料を前記保炎器の中心穴を通して前記燃焼筒内に供給すると共に、送風器から送られてくる空気の一部を第１の空気流として前記保炎器の中心穴を通して燃料と一緒に燃焼筒内に供給し、また送風器から送られてくる空気の他の一部を第２の空気流として前記保炎器の旋回羽根部を通して旋回させながら燃焼筒内に供給するようにし、また残りの空気を前記燃焼筒の小径筒部及び大径筒部の周壁に設けられる複数個の空気吹き出し部から燃焼筒内に吹き出して、燃焼筒内で燃焼を行うようにしたガンタイプバーナであって、前記燃焼筒の空気吹き出し部のうち小径筒部の周壁に設けられる空気吹き出し部については、前記旋回羽根部を通って吹き出される旋回空気流と同じ旋回方向に空気を吹き出す旋回空気吹き出し部としたことを特徴とするガンタイプバーナ。
【請求項２】
小径筒部の旋回空気吹き出し部は、円周位置に分散して設けられる複数個の小径の空気吹き出し孔と、該空気吹き出し孔の内側に設けられる吹き出し方向案内板とからなる請求項１に記載のガンタイプバーナ。
【発明の詳細な説明】
【０００１】
【産業上の利用分野】
本発明は噴霧ノズルによって燃料を燃焼筒内に噴霧供給し、また燃焼用の空気を燃焼筒内に供給して、燃焼筒内で燃焼を行うガンタイプバーナに関する。
【０００２】
【従来の技術】
図３に従来のガンタイプバーナの断面構成図を示す。
燃焼筒10は大径筒部11と小径筒部12とが段部13を介して結合された形に構成されており、燃焼筒10の基端面、即ち小径筒部12の基端面に保炎器20が設けられている。
前記大径筒部11及び小径筒部12の側周壁には、それぞれ半径方向に向けて開口する複数個の空気吹き出し孔11a 、12a が設けられている。
前記保炎器20は中心穴21とその周囲に旋回羽根部22を設けている。保炎器20の手前側には噴霧ノズル30が設けられている。送風器70からの空気はダンパ90を介してバーナケース内に導入される。バーナケース内には第１の空気分離筒40と第２の空気分離筒50とが設けられている。
噴霧ノズル30から噴出された燃料は、保炎器20の中心穴21から燃焼筒10内に供給される。また燃焼のための空気の一部は前記第１の空気分離筒40の中に入り、保炎器20の中心穴21から燃料と共に燃焼筒10内に供給され、また他の一部は保炎器20の旋回羽根部22から旋回空気流となって燃焼筒10内に供給され、また他の一部は燃焼筒10の小径筒部12の空気吹き出し孔12a から燃焼筒10内に半径方向に供給される。また第２の空気分離筒50によって燃焼筒10の大径筒部11側に分離された空気は、大径筒部11の空気吹き出し孔11a から燃焼筒10内に半径方向に供給される。
以上の如き構成からなる従来のガンタイプバーナにおいては、前記燃焼筒10を大径筒部11と小径筒部12とからなる段部13付の燃焼筒とすることで、大能力運転の場合には小径筒部12及び大径筒部11の全体で燃焼を行うようにし、小能力運転の場合には小径筒部12内で燃焼が行えるようにして、燃焼能力の大小に応じて適性な燃焼ができるようにしている。
【０００３】
【発明が解決しようとする課題】
ところが上記従来のガンタイプバーナにおいて、特に低入力の場合には前記保炎器20の中心穴21を通って燃焼筒10内に吹き出される燃料の噴霧状態に偏りが生じやすく、また噴霧粒子が大きくなりやすい傾向があるが、その様な場合に、燃焼筒10に設けられる空気吹き出し孔11a 、12a 、特に小径筒部12の孔12a が半径方向に空気を吹き出す構成になっていることから、保炎器20の旋回羽根部22を通って燃焼筒10内に吹き込まれる旋回空気流が空気吹き出し孔12a からの向芯空気流によって止められてしまうので、旋回空気流による噴霧の偏りの是正が行われず、前記噴霧の偏りがそのまま残ってしまい、良好な燃焼が行われない欠点があった。
【０００４】
そこで本発明は、上記従来のガンタイプバーナの欠点を解消し、燃料噴霧の偏りがある場合においても、低入力に至るまで、前記燃料噴霧の偏りを是正して、また空気と噴霧燃料との混合を促進して、安定した良好な燃焼が行えるガンタイプバーナの提供を目的とする。
【０００５】
【課題を解決するための手段】
上記目的を達成する本発明のガンタイプバーナは、大径筒部と小径筒部とが連結された形の燃焼筒の前記小径筒部の基端側に旋回羽根部を備えた保炎器を配置し、噴霧ノズルから噴出される燃料を前記保炎器の中心穴を通して前記燃焼筒内に供給すると共に、送風器から送られてくる空気の一部を第１の空気流として前記保炎器の中心穴を通して燃料と一緒に燃焼筒内に供給し、また送風器から送られてくる空気の他の一部を第２の空気流として前記保炎器の旋回羽根部を通して旋回させながら燃焼筒内に供給するようにし、また残りの空気を前記燃焼筒の小径筒部及び大径筒部の周壁に設けられる複数個の空気吹き出し部から燃焼筒内に吹き出して、燃焼筒内で燃焼を行うようにしたガンタイプバーナであって、前記燃焼筒の空気吹き出し部のうち小径筒部の周壁に設けられる空気吹き出し部については、前記旋回羽根部を通って吹き出される旋回空気流と同じ旋回方向に空気を吹き出す旋回空気吹き出し部としたことを第１の特徴としている。
また本発明のガンタイプバーナは上記第１の特徴に加えて、小径筒部の旋回空気吹き出し部は、円周位置に分散して設けられる複数個の小径の空気吹き出し孔と、該空気吹き出し孔の内側に設けられる吹き出し方向案内板とからなることを第２の特徴としている。
【０００６】
【作用】
上記本発明の第１の特徴によれば、小能力の燃焼がなされる場合には、噴霧ノズルから噴霧される燃料の量が少なくなり、噴出距離が短くなって燃焼筒内に噴出される噴霧に偏りが生じやすくなるが、保炎器の旋回羽根部から吹き出される旋回空気流に対して燃焼筒の小径筒部に設けられる旋回空気吹き出し部からも同方向の旋回空気流が吹き出されるため、旋回空気流が強化され、この強化された旋回空気流によって前記噴霧燃焼が掻き回され、噴霧燃料の偏りが是正されると共に空気と燃料との混合が促進され、良好な燃焼が確保される。
また本発明の第２の特徴によれば、小径筒部の旋回空気吹き出し部は、円周位置に分散して設けられる複数個の小径の空気吹き出し孔と、該空気吹き出し孔の内側に設けられる吹き出し方向案内板とからなるので、小径の空気吹き出し孔から流速の速い、勢いのある空気が噴出され、これが別の吹き出し方向案内板で旋回空気流とされ燃焼筒内に供給される。よって勢いのある旋回空気流を保炎器の旋回羽根部を通ってくる旋回空気流に加えることができ、小能力運転の際にも適当な旋回空気流を確保して、偏りのない良好な燃焼を一層確実にすることができる。
【０００７】
【実施例】
図１は本発明の実施例を示すガンタイプバーナの縦断面構成図、図２は実施例のガンタイプバーナの燃焼筒の小径筒部の正面図と縦断面図である。
【０００８】
燃焼筒10は大径筒部11と小径筒部12と段部13とからなり、燃焼筒10の小径筒部12の基端面に保炎器20が設けられる。該保炎器20には中心穴21とその周囲に旋回羽根部22が設けられ、保炎器20の手前側には噴霧ノズル30が設けられる。送風器70からの空気はダンパ90を介してバーナケース内に導入される。バーナケース内には第１の空気分離筒40と第２の空気分離筒50とが設けられている。
そして噴霧ノズル30から噴出された燃料、例えば液体燃料は保炎器20の中心穴21から燃焼筒10内に供給される。
また燃焼のための空気は送風器70からダンパ90を介して供給され、第２の空気分離筒50によって先ず２つの空気流に分けられ、一方の空気流の一部は更に前記第１の空気分離筒40の中に入り、保炎器20の中心穴21から燃料と共に燃焼筒10内に供給され、また他の一部は第１の空気分離筒40内に入ることなく、保炎器20の旋回羽根部22から旋回空気流となって燃焼筒10内に供給され、また燃焼筒10の小径筒部12の旋回空気吹き出し部80から燃焼筒10内に供給される。
前記第２の空気分離筒50で分離された他方の空気流は、燃焼筒10の大径筒部11の側周壁に設けられた向芯方向の空気吹き出し孔11a から燃焼筒10内に供給される。
【０００９】
前記小径筒部12の旋回空気吹き出し部80は、円周位置に分散して設けられる複数個の小径の空気吹き出し孔81と、該空気吹き出し孔81の内側に設けられる吹き出し方向案内板82とからなっている。前記小径の空気吹き出し孔81は小径筒部12に外嵌された補助筒12b の側周壁に周方向に一定の間隔で分散されて設けられている。実施例では１列であるが、数列であってもよい。また前記吹き出し方向案内板82は前記空気吹き出し孔81に対応する位置の小径筒部12の壁をコ字形に切って、これを裏側に起こした切り起こし辺として構成している。この切り起こし方向は、前記空気吹き出し孔81からの空気流を燃焼筒10内へ円周方向で、且つ前記旋回羽根部22から吹き込まれる旋回空気流と同じ旋回方向となる方向とされる。前記において、旋回空気吹き出し部80を空気吹き出し孔81と吹き出し方向案内板82とから構成したのは、小径筒部12を通って燃焼筒10内に吹き出されるべき旋回空気流の勢いをある程度強く保つためである。即ち、切り起こしの吹き出し方向案内板82だけの場合でも旋回空気流の形成は可能ではあるが、その場合には吹き出されるべき空気孔が吹き出し方向案内板82の切り起こし開口そのものとなって、大径過ぎ、吹き出し速度が遅く、勢いのある旋回空気流を吹き出すことができなくなる。よって前記小径の空気吹き出し孔81における小径とは、吹き出し方向案内板82を切り起こし形成する際に構成される開口に比べて十分に小径であるという意味での小径である。
【００１０】
以上の構成において、小能力の燃焼がなされる場合には、保炎器20の中心穴21を通って燃焼筒10内に噴出される燃料も少なくなり、また保炎器20の中心穴21を通って燃焼筒10内に吹き込まれる空気流も弱くなって、噴霧の偏りが生じやすく且つ液体燃料の場合には噴霧粒子径も大きくなりやすいが、保炎器20の旋回羽根部22を通って燃焼筒10内に導入される弱い旋回空気流に小径筒部12の旋回空気吹き出し部80を通って燃焼筒10内に導入される旋回空気流が加わるため、全体としての旋回空気流の勢いをある程度以上に保持することができ、これによって前記噴出された燃料の偏りを是正すると共に空気との混合を良好にして、小能力燃焼であっても良好な燃焼を確保することができる。
【００１１】
【発明の効果】
本発明は以上の構成、作用よりなり、請求項１に記載のガンタイプバーナによれば、燃焼筒の小径筒部の周壁に設けられる空気吹き出し部を、旋回羽根部を通って吹き出される旋回空気流と同じ旋回方向に空気を吹き出す旋回空気吹き出し部としたので、小能力の燃焼の際に燃焼筒内に噴出される噴霧に偏りが生じやすく且つ噴霧粒子が大きく状況においても、旋回羽根部からの旋回空気流を小径筒部の旋回空気吹き出し部からの旋回空気流で強化することができ、これによって噴霧燃料の偏りを是正することができると共に空気と燃料との混合を促進することができ、良好な燃焼を確保することができる。
また請求項２に記載のガンタイプバーナによれば、上記請求項１に記載の構成による効果に加えて、小径筒部の旋回空気吹き出し部は、円周位置に分散して設けられる複数個の小径の空気吹き出し孔と、該空気吹き出し孔の内側に設けられる吹き出し方向案内板とからなるので、小径の空気吹き出し孔からの勢いのある空気を吹き出し方向案内板で引き続き勢いのある旋回流にして保炎器の旋回羽根部を通ってくる旋回空気流に加えることができ、小能力運転の際にも適当な旋回空気流を確保して、偏りのない良好な燃焼を一層確実にすることができる。
【図面の簡単な説明】
【図１】本発明の実施例を示すガンタイプバーナの縦断面構成図である。
【図２】実施例のガンタイプバーナの燃焼筒の小径筒部の正面図と縦断面図である。
【図３】従来のガンタイプバーナの断面構成図である。
【符号の説明】
10  燃焼筒
11  大径筒部
12  小径筒部
20  保炎器
21  中心穴
22  旋回羽根部
30  噴霧ノズル
40  第１の空気分離筒
50  第２の空気分離筒
80  旋回空気吹き出し部
81  空気吹き出し孔
82  吹き出し方向案内板
【図１】
0003541453.tif 000002
【図２】
0003541453.tif 000003
【図３】
0003541453.tif 000004